(57)【要約】  【課題】接着剤や釘等を使用せずに床材間の嵌合が短時間で確実且つ容易にできる床材実結合構造を提供することを目的とする。  【解決手段】本発明の床材実結合構造２０は矩形板状の床材２の辺２ａ、２ｃに雄実２１又は雌実２２を備えた本実結合部２３を設け、複数枚の床材２を下地材５上に配置して隣り合う床材２の雄実２１と雌実２２が互いに嵌合される。さらに、前記雄実２１と雌実２２の嵌合に加えて、床材２の本実結合部２３の下地材５側に凹溝２４を形成し、この凹溝２４に嵌合される雇い実片２５を介して隣り合う床材２が互いに連結される雇い実結合部２６を備えている。雇い実片２５の両先端部２５ａに隣り合う床材２の凹溝２４と嵌合する矢尻状のかえり片２５ｂを備える。  【選択図】図１
2007085104.tif 000002
【特許請求の範囲】
【請求項１】
複数枚の矩形板状の床材を下地材上に配置して隣り合う床材が連結される床材実結合構造であって、
前記隣り合う床材の辺に設けられる雄実と雌実の嵌合による本実結合部に加えて、前記本実結合部の下地材側にそれぞれ形成される凹溝に嵌合される雇い実片を介して隣り合う床材が連結される雇い実結合部を備えることを特徴とする床材実結合構造。
【請求項２】
請求項１に記載の床材実結合構造であって、前記雇い実片はその両先端部に前記隣り合う床材の凹溝と内接するかえり片を備えることを特徴とする床材実結合構造。
【発明の詳細な説明】
【技術分野】
【０００１】
本発明は建物に用いられる複数の床材間の床材実結合構造に関するもので、詳しくは、複数の床材を接着剤や釘等を使用せず容易に結合できる床材実結合構造の技術に関する。 
【背景技術】
【０００２】
従来、矩形板状の床材の辺に雄実又は雌実が設けられ、複数枚の床材を下地材上に配置する際には隣り合う床材の雄実と雌実の互いの嵌合によって取付けられる。ところが、雄実と雌実による本実結合部は振動や長期の使用により床材が伸縮して床材がずれてしまうという問題があった。
【０００３】
このため、実部に釘等の固着具を用いて床材間を固着することが行なわれていた。しかし、この作業は熟練した施工技術が必要であり作業性も悪いという問題があった。
【０００４】
これらの問題を解決する方法が特許文献１に開示されている。図４に示すように、特許文献１の床材実結合構造１８は、矩形板状の床材２の辺に、雄実３と雌実４を設け、複数枚の床材２を下地材５上に並べて配置し、前後左右に隣り合う床材２の雄実３と雌実４を互いに嵌合させて本実結合させる。
【０００５】
このとき、床材２の裏面８の一部に接着剤７を点状或いは線状に塗布して下地材５に接着すると共に、床材２の辺の本実結合部にそれぞれ接着剤６を塗布して隣り合う床材２の雄実３と雌実４とを嵌合接着する。この方法であれば、熟練した施工技術が不要で、床材の伸縮を防止できてリフォーム時の床材の貼り換えも簡単にできる。
【特許文献１】特開２００１−２６２８１５号公報
【発明の開示】
【発明が解決しようとする課題】
【０００６】
ところが、上記の床材２の裏面８の一部に接着剤７を点状或いは線状に塗布して下地材５に接着すると共に、床材２の辺の本実結合部にそれぞれ接着剤６を塗布して隣り合う床材２の雄実３と雌実４とを嵌合接着する方法は、使用する接着剤７の範囲が限定的であっても、リフォーム時の床材の貼り換え時に床材が損傷するという問題があった。
【０００７】
そこで、本発明はかかる従来技術の問題に鑑みなされたものであって、接着剤や釘等を使用せず、床材間の嵌合が短時間で確実且つ容易にできる床材実結合構造を提供することを目的とする。
【課題を解決するための手段】
【０００８】
請求項１の発明は、複数枚の矩形板状の床材を下地材上に配置して隣り合う床材が連結される床材実結合構造であって、前記隣り合う床材の辺に設けられる雄実と雌実の嵌合による本実結合部に加えて、前記本実結合部の下地材側にそれぞれ形成される凹溝に嵌合される雇い実片を介して隣り合う床材が連結される雇い実結合部を備えることを特徴としている。
【０００９】
請求項２の発明は、請求項１に記載の床材実結合構造であって、前記雇い実片はその両先端部に前記隣り合う床材の凹溝と内接するかえり片を備えることを特徴としている。
【発明の効果】
【００１０】
請求項１記載の発明によれば、前記隣り合う床材の辺に設けられる雄実と雌実の嵌合による本実結合部に加えて、前記本実結合部の下地材側にそれぞれ形成される凹溝に嵌合される雇い実片を介して隣り合う床材が連結される雇い実結合部を備えるので、二重に嵌合できるため床材の伸縮を確実に防止できる。また、熟練した施工技術を必要とせず床材間の嵌合が短時間で容易にできる。さらに、リフォーム時の床材の貼り換え時に床材の損傷がなくなる。
【００１１】
請求項２記載の発明によれば、前記雇い実片はその両先端部に前記隣り合う床材の凹溝と嵌合するかえり片を備えるので、隣り合う床材が互いに強固に嵌合されるので床材の伸縮を確実に防止できる。
【発明を実施するための最良の形態】
【００１２】
＜本発明の第１の実施形態＞
以下に、本発明の第１の実施形態を図１に基づいて説明する。なお、図４に示した構成と同等部分には適宜に同一符号を付して説明する。
【００１３】
＜床材実結合構造の構成＞  
図1に示すように、本発明の床材実結合構造２０は、複数枚の矩形板状の床材２を下地材５上に配置し、隣り合う床材２が互いに連結される構造であり、隣り合う一対の床材２の対向する辺２ａ、２ｃに設けられる雄実２１と雌実２２の嵌合による本実結合部２３が設けられる。
【００１４】
さらに、前記本実結合部２３に加えて、前記床材２の本実結合部２３の下地材５側にそれぞれ凹溝２４を形成し、この凹溝２４に嵌合される雇い実片２５を介して隣り合う床材２を連結する雇い実結合部２６が設けられる。雇い実片２５の両先端部２５ａには前記隣り合う床材２の凹溝２４と嵌合する矢尻状のかえり片２５ｂを備える。
【００１５】
いま、凹溝２４の断面を幅Ｓ、高さＨとし、前記雇い実片２５の全幅Ｓ１、中央部の高さＨ１、先端部２５ａの幅Ｓ２、高さＨ２（雇い実片２５が凹溝２４に嵌入する前の状態で）とすると、
Ｓ１≦Ｓ  
Ｈ１＜Ｈ    
Ｈ２＞Ｈ  
Ｓ２＜＜Ｓ  の関係に形成される。
【００１６】
このように、Ｈ２＞Ｈなので、雇い実結合部２６においては、かえり片２５ｂによって雇い実片２５は隣り合う床材２の凹溝２４と強固に嵌合して抜け難い構成になるので、隣り合う床材２の伸縮を確実に防止できる。
【００１７】
雇い実片２５は木材料や合成樹脂等の色々の材質で形成されるが、好ましくはインジェクション成形や押出し成形された合成樹脂を用いると、かえり片２５ｂに弾力性が付加できるのでさらに強固な嵌合が得られる。
なお、好ましくは、雇い実片２５は床材２の当該辺の全長に亘って設けられるが、状況によれば当該辺の長さより短くても構わない。
【００１８】
＜床材実結合構造の作用＞
上記のように、床材実結合構造２０は隣り合う床材２の雄実２１と雌実２２が互いに嵌合される本実結合部２３が設けられることに加えて、本実結合部２３の下地材５側に凹溝２４を形成し、この凹溝２４に嵌合される雇い実片２５を介して隣り合う床材２が互いに連結される雇い実結合部２６を備えている。このため、隣り合う床材２は二重に嵌合することができるので、床材の伸縮による影響を確実に防止できる。また、熟練した施工技術を必要とせず床材間の嵌合が短時間で容易にできる。
【００１９】
さらに、雇い実結合部２６において、雇い実片２５の両先端部２５ａに前記隣り合う床材２の凹溝２４と嵌合するかえり片２５ｂを備えるので、隣り合う床材が互いに強固に嵌合される。接着剤を使用しないので補修等のメンテナンス時の省力化が図れる。
【００２０】
＜本発明の第２の実施形態＞
本発明の第２の実施形態を図２を用いて説明するが、図１に示す床材実結合構造の構成と同構成部分については、図面に同符号を付して重複した説明を省略する。
【００２１】
図２に示すように、雇い実結合部２６の雇い実片２７の先端部２７ａは幅Ｓ２、高さＨ２（雇い実片２７が凹溝２４に嵌入する前の状態で）の断面長方形状に形成される。このため、雇い実片２７は幅Ｓ２に亘って凹溝２４の内面に嵌合するので、大きな保持力を得ることができて床材の伸縮を確実に防止できる。
【００２２】
＜本発明の第３の実施形態＞
本発明の第３の実施形態を図３を用いて説明するが、図１に示す床材実結合構造の構成と同構成部分については、図面に同符号を付して重複した説明を省略する。
【００２３】
図３に示すように、雇い実結合部２６の雇い実片２８の先端部２７ａは幅Ｓ２、高さＨ２（雇い実片２７が凹溝２４に嵌入する前の状態で）の断面長方形状に形成されるとともに、中央部２８ａが幅Ｓ３、高さＨ３の断面長方形状に形成される。
【００２４】
このため、雇い実片２７は幅Ｓ２に亘って凹溝２４の内面に接触するとともに、床材２の辺２ａ、２ｃ近傍においても同様に幅Ｓ３に亘って凹溝２４の内面に接触するので、より大きな保持力を得ることができる。このため、隣り合う床材が互いに強固に連結されるので床材の伸縮を確実に防止できる。
【００２５】
以上、本発明の実施形態を図面に基づいて説明したが、上記の実施例はいずれも本発明の一例を示したものであり、本発明はこれらに限定されるべきでないということは言うまでもない。
【図面の簡単な説明】
【００２６】
【図１】本発明の第１の実施形態における、隣り合う床材２の床材実結合構造２０の状態を示す断面図である。
【図２】本発明の第２の実施形態における、隣り合う床材２の床材実結合構造２０の状態を示す断面図である。
【図３】本発明の第３の実施形態における、隣り合う床材２の床材実結合構造２０の状態を示す断面図である。
【図４】従来例における、隣り合う床材２の雄実３と雌実４が嵌合した状態の床材実結合構造１８を示す断面図である。
【符号の説明】
【００２７】
２  床材
２ａ  辺
２ｃ  辺
５  下地材
２０  床材実結合構造
２１  雄実
２２  雌実
２３  本実結合部
２４  凹溝
２５  雇い実片
２５ａ  先端部
２５ｂ  かえり片
２６  雇い実結合部
【図１】
2007085104.tif 000003
【図２】
2007085104.tif 000004
【図３】
2007085104.tif 000005
【図４】
2007085104.tif 000006